(57)【要約】【課題】同軸ケーブルに装着される同軸コネクタ装置であって、同軸ケーブルの細径化が図られたもとにおいても、同軸ケーブルの保持を確実かつ堅固に行うことができるものを提供する。【解決手段】  グラウンドコンタクト部材１２のシェル部２３に逃がし穴３０とその周囲から伸びる屈曲係合片２７とが設けられており、シグナルコンタクト部材１１の中心導体接続部２１が同軸ケーブル４０の中心導体４１との接続状態におかれるとともに、グラウンドコンタクト部材１２のシェル部２３が同軸ケーブル４０の外側導体４３との接触状態におかれたもとで、屈曲係合片２７が、屈曲せしめられて同軸ケーブル４０のその外側から係合して当該同軸ケーブル４０を逃がし穴３０に向けて押圧し、同軸ケーブル４０に部分的に逃がし穴３０内に押し込まれた状態をとらせる。【選択図】図１１
2015130266.tif 000002
【特許請求の範囲】
【請求項１】
同軸ケーブルの中心導体との接続がなされる中心導体接続部及び該中心導体接続部から伸びて外部のシグナルコンタクト部に接触接続される接触係合部を有したシグナルコンタクト部材と、
外部のグラウンドコンタクト部に嵌合接続される環状嵌合部及び該環状嵌合部から折曲可能に伸びて上記同軸ケーブルの外側導体との接触状態におかれるシェル部を有したグラウンドコンタクト部材と、
上記シグナルコンタクト部材と上記グラウンドコンタクト部材とを相互絶縁状態をもって支持する絶縁ハウジング部材と、
を備えて構成され、
上記グラウンドコンタクト部材のシェル部に逃がし穴と該逃がし穴の周囲から伸びる屈曲係合片とが設けられており、上記シグナルコンタクト部材の中心導体接続部が上記同軸ケーブルの中心導体との接続状態におかれるとともに、上記グラウンドコンタクト部材のシェル部が上記同軸ケーブルの外側導体との接触状態におかれたもとで、上記屈曲係合片が、屈曲せしめられて上記同軸ケーブルに該同軸ケーブルの外側から係合して該同軸ケーブルを上記逃がし穴に向けて押圧し、該同軸ケーブルに部分的に上記逃がし穴内に押し込まれた状態をとらせることを特徴とする同軸コネクタ装置。
【請求項２】
上記グラウンドコンタクト部材のシェル部に設けられた逃がし穴が、上記シェル部を貫通する透孔によって形成されていることを特徴とする請求項１記載の同軸コネクタ装置。
【請求項３】
上記グラウンドコンタクト部材のシェル部に設けられた逃がし穴が、上記シェル部における上記同軸ケーブルの外側導体との対接面側に設けられた凹部によって形成されていることを特徴とする請求項１記載の同軸コネクタ装置。
【請求項４】
上記グラウンドコンタクト部材のシェル部に、該シェル部に設けられた逃がし穴を挟んで上記屈曲係合片が一対設けられていることを特徴とする請求項１記載の同軸コネクタ装置。
【請求項５】
上記グラウンドコンタクト部材のシェル部に設けられた屈曲係合片が、屈曲せしめられたとき上記グラウンドコンタクト部材のシェル部に設けられた逃がし穴に上記同軸ケーブルを介在させて対向する位置をとるものとされ、上記屈曲係合片と上記逃がし穴との間に配された上記同軸ケーブルが伸びる方向における上記屈曲係合片の寸法が、上記逃がし穴と上記屈曲係合片との間に配された上記同軸ケーブルが伸びる方向における上記逃がし穴の寸法より小に選定されたことを特徴とする請求項１記載の同軸コネクタ装置。
【請求項６】
上記絶縁ハウジング部材が、上記グラウンドコンタクト部材の環状嵌合部の内側において上記シグナルコンタクト部材の接触係合部を包囲する基部を有し、該基部と上記グラウンドコンタクト部材の環状嵌合部とが上記外部のグラウンドコンタクト部に対する嵌合接続部を構成することを特徴とする請求項１記載の同軸コネクタ装置。
【発明の詳細な説明】
【技術分野】
【０００１】
本願の特許請求の範囲に記載された発明は、中心導体とそれを内部絶縁体を介して包囲する外側導体とが表皮絶縁体により被覆されて成る同軸ケーブルの中心導体及び外側導体に夫々接続される、互いに絶縁されたシグナルコンタクト部材及びグラウンドコンタクト部材を備えて成り、他のコネクタ装置である相手方コネクタ装置に嵌合連結される同軸コネクタ装置に関する。
【背景技術】
【０００２】
複数の電気／電子部品，電気装置あるいは電子機器間等における高周波信号の伝送には、外部ノイズの影響を受け難い信号伝送路を形成する、中心導体とそれを内部絶縁体を介して包囲する外側導体とが表皮絶縁体により被覆されて成る同軸ケーブルが用いられることが多い。例えば、同軸ケーブルが高周波信号を扱う回路基板に接続されて、当該回路基板からその外部への同軸ケーブルを通じた高周波信号の伝送、あるいは、当該回路基板への外部からの高周波信号の同軸ケーブルを通じた伝送が行われる。
【０００３】
同軸ケーブルが回路基板に接続される際には、同軸ケーブルの中心導体に接続されるシグナルコンタクト部材と同軸ケーブルの外側導体に接続されるグラウンドコンタクト部材とを備えた同軸コネクタ装置が同軸ケーブルの一端に装着され、その同軸コネクタ装置が、例えば、回路基板において扱われる高周波信号が供給される中心シグナルコンタクト部と中心シグナルコンタクト部を包囲して配されてグラウンド電位が与えられる環状グラウンドコンタクト部とを備えて回路基板に取り付けられた相手方コネクタ装置に連結されるようにされる。このような同軸コネクタ装置の相手方コネクタ装置との連結は、例えば、同軸コネクタ装置のグラウンドコンタクト部材が相手方コネクタ装置の環状グラウンドコンタクト部に嵌合接続されるもとで、同軸コネクタ装置のシグナルコンタクト部材が相手方コネクタ装置の中心シグナルコンタクト部に接触接続される状態がとられて行われる。
【０００４】
斯かる同軸コネクタ装置の相手方コネクタ装置との連結が行われる際には、回路基板に取り付けられた相手方コネクタ装置が、例えば、それにおける中心シグナルコンタクト部と環状グラウンドコンタクト部とを回路基板における部品搭載面の上方に向かわせるものとされ、その相手方コネクタ装置に対して、同軸ケーブルの一端に装着された同軸コネクタ装置が、回路基板における部品搭載面の上方からその部品搭載面に向かう方向をもって係合せしめられて、同軸コネクタ装置のグラウンドコンタクト部材が相手方コネクタ装置の環状グラウンドコンタクト部に嵌合接続されるとともに、同軸コネクタ装置のシグナルコンタクト部材が相手方コネクタ装置の中心シグナルコンタクト部に接触接続される。従って、相手方コネクタ装置が取り付けられた回路基板上において、同軸コネクタ装置は、回路基板における部品搭載面から突出するものとなる。
【０００５】
このような同軸コネクタ装置は、中心導体とそれを内部絶縁体を介して包囲する外側導体とが表皮絶縁体により被覆されて成る同軸ケーブルの一端に装着されるにあたり、同軸ケーブルを保持するようにして当該同軸ケーブルに取り付けられるものとされることになる。そのため、従来の同軸コネクタ装置にあっては、同軸ケーブルの外側導体に接続されるグラウンドコンタクト部材に同軸ケーブルに対する保持部が設けられ、その保持部によって、中心導体がシグナルコンタクト部材に接続されるとともに外側導体がグラウンドコンタクト部材に接続された同軸ケーブルを保持するようになすことが提案されている（例えば、特許文献１参照。）。
【０００６】
特許文献１に開示されている同軸コネクタ装置（同軸電気コネクタ(10)) は、同軸ケーブル（ケーブル(C))の中心導体（芯線(C1)) が接続される中心導体接続部（結線部(24)) 及びそれから伸びる一対の接触係合部（接触部(25)）を有したシグナルコンタクト部材（端子(13)) と、環状嵌合部（嵌合筒状部(14)）及びそれから折曲可能に伸びるシェル部（蓋部(16), 囲繞部(17)，保持部(20)) を有したグラウンドコンタクト部材（外部導体(11)）と、グラウンドコンタクト部材の環状嵌合部によって保持された本体部(21)及びそれから折曲可能に伸びる舌片部（22) を有し、シグナルコンタクト部材とグラウンドコンタクト部材とを相互に絶縁される状態をもって支持する絶縁ハウジング部材（誘電体(12)）とを備えて構成されている。グラウンドコンタクト部材のシェル部を構成する保持部(20)は、第一保持部（20A)と第二保持部（20B)とを有している。
【０００７】
そして、同軸ケーブルの中心導体がシグナルコンタクト部材の中心導体接続部に接続されたもとで、グラウンドコンタクト部材のシェル部が環状嵌合部に向かって折曲され、さらに、シェル部を構成する保持部(20)が有する第一保持部（20A)が同軸ケーブルを包むように屈曲せしめられて同軸ケーブルの外側導体（シールド線(C2)) をその外側から係合保持し、また、シェル部を構成する保持部(20)が有する第二保持部（20B)も同軸ケーブルを包むように屈曲せしめられて同軸ケーブルの表皮絶縁体（外皮）をその外側から係合保持する。その際、第一保持部（20A)が同軸ケーブルの外側導体を係合保持することにより、同軸ケーブルの外側導体がグラウンドコンタクト部材に接続される。このようにして、第一保持部（20A)が同軸ケーブルの外側導体を係合保持するとともに、第二保持部（20B)が同軸ケーブルの表皮絶縁体を係合保持することにより、グラウンドコンタクト部材に設けられた保持部(20)によって、中心導体がシグナルコンタクト部材に接続されるとともに外側導体がグラウンドコンタクト部材に接続された同軸ケーブルが保持されることになる。
【先行技術文献】
【特許文献】
【０００８】
【特許文献１】特開２００５−１８３２１２号公報（段落００２４〜段落００３４，段落００４４〜段落００４６、及び、図１〜図３）
【発明の概要】
【発明が解決しようとする課題】
【０００９】
上述の特許文献１に開示されているような従来提案されている同軸コネクタ装置にあっては、それが一端に装着される同軸ケーブルの状況によっては、当該同軸ケーブルを確実かつ堅固に保持することができなくなる虞がある。即ち、昨今においては、回路基板を含む種々の電気／電子部品の小型化に伴い、それらに連結される同軸ケーブルについても細径化の要求が高まっているが、斯かる同軸ケーブルについての細径化要求に応えて細径化が図られた同軸ケーブルを用い、その一端に同軸コネクタ装置を装着しようとする際に、従来提案されている同軸コネクタ装置によっては同軸ケーブルの保持が確実かつ堅固に行われなくなってしまう虞が生じるのである。
【００１０】
細径化が図られた同軸ケーブルは、例えば、中心導体の線径，内部絶縁体の厚み，外側導体の厚み及び表皮絶縁体の厚みのいずれもが低減せしめられて、それ自体の強度が低下している。それゆえ、このような細径化が図られた同軸ケーブルに、例えば、特許文献１に開示されている従来提案されている同軸コネクタ装置が適用されて、グラウンドコンタクト部材のシェル部を構成する保持部が有する第一保持部及び第二保持部が同軸ケーブルを包むように屈曲せしめられて同軸ケーブルの外側導体及び表皮絶縁体をその外側から係合保持することにより、同軸ケーブルの保持がなされる場合には、同軸ケーブル側の強度が不足して、第一保持部及び第二保持部による同軸ケーブルの外側導体及び表皮絶縁体の外側からの係合保持が適正に行われず、その結果、同軸コネクタ装置による同軸ケーブルの保持が確実かつ堅固に行われなくなる事態がもたらされてしまう。
【００１１】
斯かる点に鑑み、本願の特許請求の範囲に記載された発明は、同軸ケーブルの中心導体に接続されるシグナルコンタクト部材と、同軸ケーブルの外側導体に接続されるグラウンドコンタクト部材と、コンタクト部材とグラウンドコンタクト部材とを相互絶縁状態をもって支持する絶縁ハウジング部材とを備えて構成され、同軸ケーブルの細径化が図られたもとにおいても、中心導体がシグナルコンタクト部材に接続されるとともに外側導体がグラウンドコンタクト部材に接続された同軸ケーブルの保持を、確実かつ堅固に行うことができ、しかも、回路基板における部品搭載面に取り付けられた相手方コネクタ装置に連結されたとき回路基板における部品搭載面から突出する方向の寸法となる厚み寸法の増大を回避することができる同軸コネクタ装置を提供する。
【課題を解決するための手段】
【００１２】
本願の特許請求の範囲における請求項１から請求項６までのいずれかに記載された発明に係る同軸コネクタ装置（以下、本願発明に係る同軸コネクタ装置という。）は、同軸ケーブルの中心導体との接続がなされる中心導体接続部及び中心導体接続部から伸びて外部のシグナルコンタクト部に接触接続される接触係合部を有したシグナルコンタクト部材と、外部のグラウンドコンタクト部に嵌合接続される環状嵌合部及び環状嵌合部から折曲可能に伸びて同軸ケーブルの外側導体との接触状態におかれるシェル部とを有したグラウンドコンタクト部材と、シグナルコンタクト部材とグラウンドコンタクト部材とを相互絶縁状態をもって支持する絶縁ハウジング部材とを備えて構成される。そして、グラウンドコンタクト部材のシェル部に逃がし穴と逃がし穴の周囲から伸びる屈曲係合片とが設けられており、シグナルコンタクト部材の中心導体接続部が同軸ケーブルの中心導体との接続状態におかれるとともにグラウンドコンタクト部材のシェル部が同軸ケーブルの外側導体との接触状態におかれたもとで、グラウンドコンタクト部材のシェル部に設けられた屈曲係合片が、屈曲せしめられて同軸ケーブルにその外側から係合して当該同軸ケーブルをグラウンドコンタクト部材のシェル部に設けられた逃がし穴に向けて押圧し、当該同軸ケーブルに部分的に逃がし穴内に押し込まれた状態をとらせることを特徴とするものとされる。
【００１３】
このような本願発明に係る同軸コネクタ装置にあっては、例えば、グラウンドコンタクト部材のシェル部に設けられた逃がし穴が、シェル部を貫通する透孔もしくはシェル部における同軸ケーブルの外側導体との対接面に開口する凹部によって形成され、また、シェル部に設けられた逃がし穴を挟んで屈曲係合片が一対設けられる。さらに、シェル部に設けられた屈曲係合片は、例えば、屈曲せしめられたときシェル部に設けられた逃がし穴に同軸ケーブルを介在させて対向する位置をとるものとされ、屈曲係合片と逃がし穴との間に配された同軸ケーブルが伸びる方向における屈曲係合片の寸法が、逃がし穴と屈曲係合片との間に配された同軸ケーブルが伸びる方向における逃がし穴の寸法より小に選定される。
【００１４】
そして、シグナルコンタクト部材の中心導体接続部が同軸ケーブルの中心導体との接続状態におかれるとともにグラウンドコンタクト部材のシェル部が同軸ケーブルの外側導体との接触状態におかれたもとで、屈曲係合片が、屈曲せしめられて同軸ケーブルにその外側から係合して当該同軸ケーブルを逃がし穴に向けて押圧し、当該同軸ケーブルに部分的に逃がし穴内に押し込まれた状態をとらせるにあたっては、例えば、逃がし穴を挟んで設けられた一対の屈曲係合片の夫々が、逃がし穴に向かって屈曲せしめられて逃がし穴に同軸ケーブルを介在させて対向する位置をとるものとされ、逃がし穴と屈曲係合片との間に配された同軸ケーブルをその表皮絶縁体の外部から逃がし穴に向けて係合押圧することにより、当該同軸ケーブルに部分的に逃がし穴内に押し込まれた状態をとらせる。その際、逃がし穴と屈曲係合片との間に配された同軸ケーブルが伸びる方向において、屈曲係合片の寸法が逃がし穴の寸法より小に選定されている場合には、屈曲係合片によって同軸ケーブルが部分的に逃がし穴内に押し込まれた状態が容易にとられることになる。
【発明の効果】
【００１５】
上述の本願発明に係る同軸コネクタ装置においては、グラウンドコンタクト部材のシェル部に逃がし穴と逃がし穴の周囲から伸びる屈曲係合片とが設けられており、シグナルコンタクト部材の中心導体接続部が同軸ケーブルの中心導体との接続状態におかれるとともにグラウンドコンタクト部材のシェル部が同軸ケーブルの外側導体との接触状態におかれたもとで、グラウンドコンタクト部材のシェル部に設けられた屈曲係合片が、屈曲せしめられて同軸ケーブルにその外側から係合して当該同軸ケーブルをグラウンドコンタクト部材のシェル部に設けられた逃がし穴に向けて押圧し、当該同軸ケーブルに部分的に逃がし穴内に押し込まれた状態をとらせることにより、同軸ケーブルが、その一部分が屈曲せしめられてシェル部に設けられた逃がし穴に押し込まれた状態をもって、グラウンドコンタクト部材のシェル部によって堅固に保持されることになる。
【００１６】
従って、本願発明に係る同軸コネクタ装置によれば、同軸ケーブルの細径化が図られたもとにおいても、中心導体がシグナルコンタクト部材に接続されるとともに外側導体がグラウンドコンタクト部材に接続された同軸ケーブルの保持を、確実かつ堅固に行うことができる。しかも、回路基板における部品搭載面に取り付けられた相手方コネクタ装置に連結されたとき回路基板における部品搭載面から突出する方向の寸法には影響を及ぼさないので、回路基板における部品搭載面から突出する方向の寸法となる厚み寸法の増大を回避することができる。
【図面の簡単な説明】
【００１７】
【図１】本願発明に係る同軸コネクタ装置の一例を示す斜視図である。
【図２】本願発明に係る同軸コネクタ装置の一例を示す斜視図である。
【図３】本願発明に係る同軸コネクタ装置の一例が同軸ケーブルの一端部に装着される過程を示す斜視図である。
【図４】本願発明に係る同軸コネクタ装置の一例が同軸ケーブルの一端部に装着された状態を示す斜視図である。
【図５】本願発明に係る同軸コネクタ装置の一例が同軸ケーブルの一端部に装着された状態を示す斜視図である。
【図６】本願発明に係る同軸コネクタ装置の一例が嵌合連結される相手方コネクタ装置の一例をそれが取り付けられた回路基板の一部と共に示す斜視図である。
【図７】本願発明に係る同軸コネクタ装置の一例が相手方コネクタ装置の一例に嵌合連結された状態を示す斜視図である。
【図８】本願発明に係る同軸コネクタ装置の一例が相手方コネクタ装置の一例に嵌合連結された状態を示す斜視図である。
【図９】本願発明に係る同軸コネクタ装置の一例が相手方コネクタ装置の一例に嵌合連結された状態を示す側面図である。
【図１０】本願発明に係る同軸コネクタ装置の一例が相手方コネクタ装置の一例に嵌合連結された状態を示す側面図である。
【図１１】図１０におけるXI−XI線断面を示す断面図である。
【発明を実施するための形態】
【００１８】
本願発明を実施するための形態は、以下に述べられる本願発明についての実施例をもって説明される。
【実施例】
【００１９】
図１及び図２は、本願発明に係る同軸コネクタ装置の一例を示す。図１及び図２に示される本願発明に係る同軸コネクタ装置の一例を成す同軸コネクタ装置１０は、実際の使用にあたっては、中心導体と外側導体とを有した同軸ケーブル（一例が同軸ケーブル４０として後述される図３に示されている。）の一端部に装着されて、回路基板における部品搭載面に取り付けられた相手方コネクタ装置（一例が相手方コネクタ装置５０として後述される図６に示されている。）に連結されるものとされている。
【００２０】
同軸コネクタ装置１０は、主要構成要素として、導電性材料により形成されたシグナルコンタクト部材１１と、導電性材料により形成されたグラウンドコンタクト部材１２と、合成樹脂材等の絶縁材料により形成されてシグナルコンタクト部材１１とグラウンドコンタクト部材１２とを相互絶縁状態をもって支持する絶縁ハウジング部材１３と、を備えて構成される。シグナルコンタクト部材１１は、中心導体と外側導体とを有した同軸ケーブルの一端部において露出せしめられた中心導体に電気的に接続され、グラウンドコンタクト部材１２は、中心導体と外側導体とを有した同軸ケーブルの一端部において露出せしめられた外側導体に電気的に接続される。
【００２１】
絶縁ハウジング部材１３は、その中央部分においてシグナルコンタクト部材１１を支持する基部１４と、基部１４の一端から折曲可能に伸びて基部１４に向かって折り曲げられるものとされた折曲当接部１５とを有している。折曲当接部１５は、全体として板状部を成しており、基部１４に向かって折り曲げられたとき、基部１４によって保持されたシグナルコンタクト部材１１に当接するものとされている。
【００２２】
シグナルコンタクト部材１１は、絶縁ハウジング部材１３における基部１４に固定される平板状を成す固定部１６と、固定部１６から屈曲部１７を介して折り返すように伸びる可動平板状部１８と、固定部１６から相互対向して伸びる一対の弾性舌片部１９（一対の弾性舌片部１９のうちの一方は図に現れていない。）とを有して構成されている。一対の弾性舌片部１９は、絶縁ハウジング部材１３における基部１４の中央部分に形成された透孔部２０（図１１に示されている。）を貫通するものとされており、夫々が、外部のシグナルコンタクト部に接触接続される接触係合部を構成している。
【００２３】
可動平板状部１８は、屈曲部１７を揺動支点部として、固定部１６に近接する方向及び固定部１６から離隔する方向に弾性揺動可能とされている。そして、可動平板状部１８は、固定部１６上に同軸ケーブルの中心導体が配されたもとで、固定部１６に近接するものとされるとき、固定部１６に対向する状態をとり、それにより、同軸ケーブルの中心導体に固定部１６と可動平板状部１８とによって機械的に挟持された状態をとらせる。このような固定部１６と可動平板状部１８とは、同軸ケーブルの中心導体を機械的に挟持することによりその中心導体との電気的接続がなされる、シグナルコンタクト部材１１における中心導体接続部２１を構成している。従って、弾性舌片部１９が構成する接触係合部は中心導体接続部２１から伸びていることになる。
【００２４】
このような固定部１６及び可動平板状部１８を含んで構成された中心導体接続部２１と一対の弾性舌片部１９とを有して成るシグナルコンタクト部材１１は、例えば、弾性金属板材に打抜き折曲げ加工が施されることにより一体的に形成される。
【００２５】
グラウンドコンタクト部材１２は、絶縁ハウジング部材１３の基部１４をその一部分を除いて包囲する環状嵌合部２２と、環状嵌合部２２の一端から折曲可能に伸びるシェル部２３と、環状嵌合部２２におけるシェル部２３が伸びる部分に対向する部分から伸びるケーブル支持部２４とを有している。環状嵌合部２２の他端と環状嵌合部２２により包囲された絶縁ハウジング部材１３の基部１４の端部とは、同軸コネクタ装置１０が連結される相手方コネクタ装置のグラウンドコンタクト部に対する嵌合接続部を構成している。
【００２６】
そして、グラウンドコンタクト部材１２の環状嵌合部２２には、絶縁ハウジング部材１３の基部１４に設けられた複数の突出係合部分１４ａが夫々挿入されて係合する複数の切欠き２２ａが設けられている。これらの複数の切欠き２２ａは、絶縁ハウジング部材１３の基部１４に設けられた複数の突出係合部分１４ａが夫々挿入されて係合するものとされており、それにより、グラウンドコンタクト部材１２が絶縁ハウジング部材１３によって支持されたものとされる。その結果、絶縁ハウジング部材１３は、その基部１４によってシグナルコンタクト部材１１とグラウンドコンタクト部材１２とを相互絶縁状態をもって支持していることになる。
【００２７】
シェル部２３は、それに沿って絶縁ハウジング部材１３における折曲当接部１５が伸びることになるものとされており、環状嵌合部２２及びそれから伸びるケーブル支持部２４に向けて屈曲せしめられるとき、それに伴って絶縁ハウジング部材１３における折曲当接部１５を屈曲させるとともに、中心導体がシグナルコンタクト部材１１の中心導体接続部２１との電気的接続がなされた同軸ケーブルの外側導体との接続がなされる。また、ケーブル支持部２４は、中心導体がシグナルコンタクト部材１１の中心導体接続部２１との電気的接続がなされた同軸ケーブルをその剥き出された外側導体の外側から支持する役割を果たす。
【００２８】
そして、シェル部２３には、屈曲せしめられて、ケーブル支持部２４に係合することになる一対の第１の屈曲係合片２５，屈曲せしめられて、中心導体がシグナルコンタクト部材１１の中心導体接続部２１に接続された同軸ケーブルの外側導体に係合することになる一対の第２の屈曲係合片２６、及び、屈曲せしめられて、中心導体がシグナルコンタクト部材１１の中心導体接続部２１に接続された同軸ケーブルの表皮絶縁体に係合することになる一対の第３の屈曲係合片２７が設けられている。また、シェル部２３には、一対の第３の屈曲係合片２７の間となる部分に逃がし穴３０が設けられている。従って、シェル部２３においては、逃がし穴３０を挟んで一対の第３の屈曲係合片２７が設けられていることになる。さらに、シェル部２３には、その内面側に凹部３１が設けられている。
【００２９】
一対の第１の屈曲係合片２５，一対の第２の屈曲係合片２６及び一対の第３の屈曲係合片２７の夫々は、屈曲せしめられるにあたっては、図１に示されるような相互対向する状態から近付き合う方向に屈曲せしめられた状態に移行する。
【００３０】
図１及び図２に示される本願発明に係る同軸コネクタ装置の一例、即ち、同軸コネクタ装置１０においては、シェル部２３に設けられた逃がし穴３０は、シェル部２３における一対の第３の屈曲係合片２７の間となる部分を貫通する透孔によって形成されている。しかしながら、逃がし穴３０は、透孔に代えて、シェル部２３における、一対の第３の屈曲係合片２７の間となる部分の内面側、即ち、同軸ケーブルの表皮絶縁体との対接面側に設けられた凹部によって形成されてもよい。
【００３１】
図１に示されるように、グラウンドコンタクト部材１２の環状嵌合部２２からシェル部２３が伸びる方向（図１において矢印Ｓによって示されており、以下、Ｓ方向という。）における逃がし穴３０の寸法Ｌｈと一対の第３の屈曲係合片２７の夫々の寸法Ｌｔとは、寸法Ｌｔが寸法Ｌｈより小となるように選定されている。
【００３２】
上述のような環状嵌合部２２とその一端から伸びるシェル部２３と環状嵌合部２２から伸びるケーブル支持部２４とを有して成るグラウンドコンタクト部材１２は、例えば、弾性金属板材に打抜き折曲げ加工が施されることにより一体的に形成される。
【００３３】
このようなもとで、同軸コネクタ装置１０が同軸ケーブルの一端部に装着される際には、先ず、図３に示されるように、同軸ケーブルの一例である同軸ケーブル４０の一端部が同軸コネクタ装置１０のシグナルコンタクト部材１１，グラウンドコンタクト部材１２及び絶縁ハウジング部材１３に係合せしめられる。同軸ケーブル４０は、中心導体４１と、中心導体４１を覆う内部絶縁体４２と、内部絶縁体４２を包囲する外側導体４３と、外側導体４３を覆う表皮絶縁体４４とを有しており、中心導体４１は、例えば、多数の細導線が撚り合わされて成る撚線とされる。そして、同軸ケーブル４０の一端部においては、表皮絶縁体４４，外側導体４３及び内部絶縁体４２が部分的に切除されて、中心導体４１が剥き出されており、また、内部絶縁体４２及び外側導体４３が部分的に露出せしめられている。
【００３４】
このとき、同軸コネクタ装置１０にあっては、剥き出された同軸ケーブル４０の中心導体４１が、シグナルコンタクト部材１１における中心導体接続部２１の固定部１６に、グラウンドコンタクト部材１２における環状嵌合部２２からケーブル支持部２４が伸びる方向に沿って載置されるとともに、絶縁ハウジング部材１３の基部１４によって支持される。また、露出せしめられた同軸ケーブル４０の外部導体４３が、グラウンドコンタクト部材１２における環状嵌合部２２から伸びるケーブル支持部２４に当接しており、それによって、同軸ケーブル４０がケーブル支持部２４によって支持された状態におかれる。
【００３５】
このようにして、同軸ケーブル４０の一端部が同軸コネクタ装置１０のシグナルコンタクト部材１１，グラウンドコンタクト部材１２及び絶縁ハウジング部材１３に係合せしめられたもとで、図４及び図５に示されるように、グラウンドコンタクト部材１２におけるシェル部２３が、グラウンドコンタクト部材１２における環状嵌合部２２及びケーブル支持部２４に向けて、絶縁ハウジング部材１３における折曲当接部１５を伴って折り曲げられ、ケーブル支持部２４と略平行となる位置をとるものとされる。そして、その後、シェル部２３に設けられた一対の第１の屈曲係合片２５が、同軸ケーブル４０を支持したケーブル支持部２４を包むように屈曲せしめられて、そのケーブル支持部２４に外側から係合し、また、シェル部２３に設けられた一対の第２の屈曲係合片２６が、ケーブル支持部２４により支持された同軸ケーブル４０における露出せしめられた外部導体４３を包むように屈曲せしめられて、その外部導体４３に外側から係合し、さらに、シェル部２３に設けられた一対の第３の屈曲係合片２７が、ケーブル支持部２４により支持された同軸ケーブル４０における表皮絶縁体４４を包むように屈曲せしめられて、その表皮絶縁体４４に外側から係合するものとされる。
【００３６】
斯かる際、後述される図１１に示されるように、グラウンドコンタクト部材１２におけるシェル部２３に伴って折り曲げられた絶縁ハウジング部材１３における折曲当接部１５が、シグナルコンタクト部材１１における中心導体接続部２１を構成する可動平板状部１８に当接して、可動平板状部１８を固定部１６に向けて押圧変位させ、固定部１６に載置された同軸ケーブル４０の中心導体４１を、固定部１６と可動平板状部１８とによって機械的に挟持されたものとなす。その結果、同軸ケーブル４０の中心導体４１が、シグナルコンタクト部材１１における中心導体接続部２１に、それにより機械的に挟持されることにより電気的に接続された状態が得られる。そして、シグナルコンタクト部材１１における中心導体接続部２１に同軸ケーブル４０の中心導体４１を半田付けすることは不要とされる。
【００３７】
また、後述される図１１に示されるように、グラウンドコンタクト部材１２におけるシェル部２３の内面が、中心導体４１がシグナルコンタクト部材１１における中心導体接続部２１に接続された同軸ケーブル４０における露出せしめられた外部導体４３に当接する。それにより、同軸ケーブル４０の外側導体４３が、グラウンドコンタクト部材１２に電気的に接続された状態が得られる。
【００３８】
そして、グラウンドコンタクト部材１２におけるシェル部２３に設けられた一対の第１の屈曲係合片２５が、グラウンドコンタクト部材１２におけるケーブル支持部２４に外側から係合するものとされることにより、ケーブル支持部２４による同軸ケーブル４０の支持がより一層堅固に行われることになる。それに加えて、グラウンドコンタクト部材１２におけるシェル部２３に設けられた一対の第２の屈曲係合片２６が、ケーブル支持部２４により支持された同軸ケーブル４０における外部導体４３に外側から係合するものとされることにより、グラウンドコンタクト部材１２と同軸ケーブル４０の外側導体４３との電気的接続がより一層確実に行われることになる。
【００３９】
さらに、グラウンドコンタクト部材１２におけるシェル部２３に設けられた一対の第３の屈曲係合片２７は、屈曲せしめられて同軸ケーブル４０における表皮絶縁体４４に外側から係合するにあたり、後述される図１１に示されるように、グラウンドコンタクト部材１２におけるシェル部２３に設けられた逃がし穴３０に同軸ケーブル４０を挟んで対向する位置をとり、同軸ケーブル４０を逃がし穴３０に向けて押圧し、その同軸ケーブル４０に部分的に逃がし穴３０内に押し込まれた状態をとらせる。その際、Ｓ方向における逃がし穴３０の寸法Ｌｈと一対の第３の屈曲係合片２７の夫々の寸法Ｌｔとが、寸法Ｌｔが寸法Ｌｈより小となるように選定されていることにより、一対の第３の屈曲係合片２７は同軸ケーブル４０の部分を容易に逃がし穴３０内に押し込むことができ、一対の第３の屈曲係合片２７により同軸ケーブル４０が部分的に逃がし穴３０内に押し込まれた状態が、容易かつ確実にとられることになる。
【００４０】
このようにして、同軸ケーブル４０が部分的に逃がし穴３０内に押し込まれた状態がとられることにより、中心導体４１がシグナルコンタクト部材１１における中心導体接続部２１に接続された同軸ケーブル４０が、グラウンドコンタクト部材１２における一対の第１の屈曲係合片２５，一対の第２の屈曲係合片２６，一対の第３の屈曲係合片２７及び逃がし穴３０が設けられたシェル部２３によって堅固に保持されることになる。それにより、同軸コネクタ装置１０は、同軸ケーブル４０が細径化が図られたものとされる場合においても、中心導体４１がシグナルコンタクト部材１１に接続されるとともに外側導体４３がグラウンドコンタクト部材１２に接続された同軸ケーブル４０の保持を、確実かつ堅固に行うことができるものとなる。
【００４１】
図６は、同軸ケーブル４０の一端部に装着された同軸コネクタ装置１０が嵌合連結される相手方コネクタ装置の一例を成す相手方コネクタ装置５０と、相手方コネクタ装置５０が装着された回路基板５１の部分とを示す。相手方コネクタ装置５０は、回路基板５１における部品搭載面５２上に固定されている。
【００４２】
相手方コネクタ装置５０は、合成樹脂材等の絶縁材料により形成されて、相手方コネクタ装置５０が固定される回路基板５１の部品搭載面５２上に配される絶縁基体５３を備えている。絶縁基体５３は、相手方コネクタ装置５０が固定される回路基板５１の部品搭載面５２に対接する底面部分とそれに対向する上面部分とを有しており、その中央部分に環状突出部５４が形成されている。
【００４３】
また、相手方コネクタ装置５０は、例えば、合金板材とされる弾性を有した導電材料により形成され、絶縁基体５３をその中央部分に形成された環状突出部５４により包囲された状態をもって底面部分側から上面部分側へと貫通して、絶縁基体５３に組み付けられるシグナルコンタクト部５５を備えている。シグナルコンタクト部５５には、絶縁基体５３において底面部分側から上面部分側へと伸びる円柱状部を成す接触接続部５５ａと，絶縁基体５３の底面部分において接触接続部５５ａから絶縁基体５３の外部へと伸びるシグナル用接続部５５ｂとが設けられている。接触接続部５５ａは、相手方コネクタ装置５０に嵌合接続された同軸コネクタ装置１０のシグナルコンタクト部材１１における一対の弾性舌片部１９が接触接続されるものとされ、シグナル用接続部５５ｂは、絶縁基体５３が配される部品搭載面５２を有する回路基板５１に設けられたシグナル端子（図示が省略されている。）に、例えば、半田付けにより接続される。従って、弾性舌片部１９が構成する接触係合部がシグナルコンタクト部５５に接触接続されることになる。
【００４４】
さらに、相手方コネクタ装置５０は、例えば、合金板材とされる弾性を有した導電材料により形成され、絶縁基体５３の上面側部分側において、絶縁基体５３に形成された環状突出部５４の周囲に配される環状体を成すものとして絶縁基体５３に組み付けられたグラウンドコンタクト部５６を備えている。グラウンドコンタクト部５６には、それから絶縁基体５３を貫通して絶縁基体５３の底面部分側において絶縁基体５３の外部へと伸びる複数のグラウンド接続部５６ａが設けられている。グラウンドコンタクト部５６は、相手側コネクタ装置５０に嵌合連結された同軸コネクタ装置１０におけるグラウンドコンタクト部材１２における環状嵌合部２２が嵌合接続されるものとされ、グラウンド接続部５６ａは、絶縁基体５３が配される部品搭載面５２を有する回路基板５１に設けられたグラウンド端子（図示が省略されている。）に、例えば、半田付けにより接続される。
【００４５】
そして、図７〜図１０及び図１０におけるXI−XI線断面を示す図１１に示されるように、上述のようにして回路基板５１における部品搭載面５２上に固定された相手方コネクタ装置５０に、前述の同軸ケーブル４０の一端部に装着された同軸コネクタ装置１０が嵌合連結される。
【００４６】
同軸ケーブル４０の一端部に装着された同軸コネクタ装置１０が、回路基板５１における部品搭載面５２上に固定された相手方コネクタ装置５０に嵌合連結されたもとにあっては、同軸コネクタ装置１０のグラウンドコンタクト部材１２における環状嵌合部２２が、相手方コネクタ装置５０のグラウンドコンタクト部５６に嵌合接続せしめられる。それとともに、同軸コネクタ装置１０における絶縁ハウジング部材１３における基部１４が、相手方コネクタ装置５０のグラウンドコンタクト部５６により包囲された絶縁基体５３に形成された環状突出部５４の内側に配されて、基部１４の中央部分に形成された透孔部２０内に、相手方コネクタ装置５０のシグナルコンタクト部５５における接触接続部５５ａが挿入され、透孔部２０内を貫通して伸びる同軸コネクタ装置１０におけるシグナルコンタクト部材１１における一対の弾性舌片部１９が、相手方コネクタ装置５０のシグナルコンタクト部５５における接触接続部５５ａに接触接続される。
【００４７】
このようにして、同軸コネクタ装置１０のグラウンドコンタクト部材１２における環状嵌合部２２が、相手方コネクタ装置５０のグラウンドコンタクト部５６に嵌合接続せしめられることにより、同軸コネクタ装置１０のグラウンドコンタクト部材１２との電気的接続がなされた同軸ケーブル４０の外側導体４３が、グラウンドコンタクト部材１２における環状嵌合部２２及び相手方コネクタ装置５０のグラウンドコンタクト部５６を介して、回路基板５１に設けられたグラウンド端子に電気的に連結されることになり、また、同軸コネクタ装置１０におけるシグナルコンタクト部材１１における一対の弾性舌片部１９が、相手方コネクタ装置５０のシグナルコンタクト部５５における接触接続部５５ａに接触接続されることにより、同軸コネクタ装置１０のシグナルコンタクト部材１１における中心導体接続部２１との電気的接続がなされた同軸ケーブル４０の中心導体４１が、シグナルコンタクト部材１１における一対の弾性舌片部１９及び相手方コネクタ装置５０のシグナルコンタクト部５５における接触接続部５５ａを介して、回路基板５１に設けられたシグナル端子に電気的に連結されることになる。
【００４８】
上述のような本願発明に係る同軸コネクタ装置の一例を成す同軸コネクタ装置１０においては、グラウンドコンタクト部材１２におけるシェル部２３に逃がし穴３０と逃がし穴３０の周囲から伸びる一対の第３の屈曲係合片２７とが設けられている。そして、シグナルコンタクト部材１１における中心導体接続部２１が同軸ケーブル４０の中心導体４１との接続状態におかれるとともにグラウンドコンタクト部材１２におけるシェル部２３が同軸ケーブル４０の外側導体４３との接触状態におかれたもとで、グラウンドコンタクト部材１２におけるシェル部２３に設けられた一対の第３の屈曲係合片２７が、屈曲せしめられて同軸ケーブル４０にその外側から係合して当該同軸ケーブル４０をグラウンドコンタクト部材１２におけるシェル部２３に設けられた逃がし穴３０に向けて押圧し、当該同軸ケーブル４０に部分的に逃がし穴３０内に押し込まれた状態をとらせる。それにより、同軸ケーブル４０が、その一部分が屈曲せしめられてシェル部２３に設けられた逃がし穴３０に押し込まれた状態をもって、グラウンドコンタクト部材１２におけるシェル部２３によって堅固に保持されることになる。
【００４９】
従って、同軸コネクタ装置１０によれば、同軸ケーブル４０の細径化が図られたもとにおいても、中心導体４１がシグナルコンタクト部材１１に電気的に接続されるとともに外側導体４３がグラウンドコンタクト部材１２に電気的に接続された同軸ケーブル４０の保持を、確実かつ堅固に行うことができる。そして、同軸ケーブル４０に部分的に逃がし穴３０内に押し込まれた状態をとらせるに当たり、例えば、回路基板５１における部品搭載面５２に取り付けられた相手方コネクタ装置５０に連結されたとき回路基板５１における部品搭載面５２から突出する方向の寸法に何らの影響も及ぼさないので、回路基板５１における部品搭載面５２から突出する方向の寸法となる厚み寸法の増大を回避することができることになる。
【産業上の利用可能性】
【００５０】
以上のような本願発明に係る同軸コネクタ装置は、同軸ケーブルの中心導体に接続されるシグナルコンタクト部材と、同軸ケーブルの外側導体に接続されるグラウンドコンタクト部材と、コンタクト部材とグラウンドコンタクト部材とを相互絶縁状態をもって支持する絶縁ハウジング部材とを備えて構成されるもとで、同軸ケーブルの細径化が図られたもとにおいても、中心導体がシグナルコンタクト部材に接続されるとともに外側導体がグラウンドコンタクト部材に接続された同軸ケーブルの保持を、確実かつ堅固に行うことができ、しかも、回路基板における部品搭載面に取り付けられた相手方コネクタ装置に連結されたとき回路基板における部品搭載面から突出する方向の寸法となる厚み寸法の増大を回避することができるものとして、各種の電子機器等に広く適用され得るものである。
【符号の説明】
【００５１】
１０・・・同軸コネクタ装置，    １１・・・シグナルコンタクト部材，  １２・・・グラウンドコンタクト部材，  １３・・・絶縁ハウジング部材，  １４・・・基部，  １５・・・折曲当接部，  １６・・・固定部，  １７・・・屈曲部，  １８・・・可動平板状部，  １９・・・弾性舌片部（接触係合部），  ２０・・・透孔部，  ２１・・・中心導体接続部，  ２２・・・環状嵌合部，  ２３・・・シェル部，  ２４・・・ケーブル支持部，  ２５・・・第１の屈曲係合片，  ２６・・・第２の屈曲係合片，  ２７・・・第３の屈曲係合片，  ３０・・・逃がし穴，  ３１・・・凹部，  ４０・・・同軸ケーブル，  ４１・・・中心導体，    ４２・・・内部絶縁体，  ４３・・・外側導体，  ４４・・・表皮絶縁体，  ５０・・・相手方コネクタ装置，  ５１・・・回路基板，  ５２・・・部品搭載面，  ５３・・・絶縁基体,   ５４・・・環状突出部,   ５５・・・シグナルコンタクト部，  ５５ａ・・・接触接続部，  ５５ｂ・・・シグナル用接続部，  ５６・・・グラウンドコンタクト部，  ５６ａ・・・グラウンド接続部
【図１】
2015130266.tif 000003
【図２】
2015130266.tif 000004
【図３】
2015130266.tif 000005
【図４】
2015130266.tif 000006
【図５】
2015130266.tif 000007
【図６】
2015130266.tif 000008
【図７】
2015130266.tif 000009
【図８】
2015130266.tif 000010
【図９】
2015130266.tif 000011
【図１０】
2015130266.tif 000012
【図１１】
2015130266.tif 000013